(57)【特許請求の範囲】
【請求項１】
地面或いは床面に設置される長尺状土台と、この長尺状土台に固定手段を用いて一体的に固定された断面軽山形綱形状（Ｌ型形状）の左右一対の支持片がこの長尺状土台の左右の側壁から該長尺状土台の上面を略直角に超えて突出する左右の垂直支持壁及び該垂直支持壁の上端部から内側にそれぞれ屈曲する左右の水平支持壁をそれぞれ有すると共に、前記左右の水平支持壁の対向端面間に前後一対の脚部材の脚部分にそれぞれ螺合する調整ナットを案内する長尺状案内溝と、該長尺状案内溝に連通すると共に、前記左右一対の支持片の前開口又は後開口から前記調整ナットと共に嵌め込まれ、かつ、前記垂直支持壁の内壁面と水平支持壁の内壁面で形成された幅広空間部分に前記脚部材の座板部分が前記長尺状土台の上面に支持された状態で位置する設置ケースの脚部材用支持台であって、
前記左右の垂直支持壁に左右一対の支持孔を形成し、これら左右一対の支持孔には、前記脚部材と当接して該脚部材が前記長尺状案内溝方向に滑動するのを防止する係止棒を貫通状態に横架し、
前記左右一対の支持孔の内径と前記係止棒の外径との寸法差は、係止棒を支持孔に対して水平方向から嵌入及び支持孔から抜脱することができるように遊嵌合状態に設定されており、さらに、前記係止棒の両端部又は両端部寄りの部位のいずれかに前記左右一対の支持孔にそれぞれ係合する溝が形成されている設置ケースの脚部材用支持台。
【請求項２】
請求項１に於いて、係止棒の少なくとも一端部には、装着可能な係止棒用抜脱防止部材が取付けられていること特徴とする設置ケースの脚部材用支持台。  
【請求項３】
請求項１に於いて、係止棒の少なくとも一端部は先細り状に形成されていること特徴とする設置ケースの脚部材用支持台。
【発明の詳細な説明】
【技術分野】
【０００１】
本発明は、自動販売機、陳列ケース、ロッカー用の支持装置を構成する設置ケースの脚部材用支持台に関する。
【背景技術】
【０００２】
特許文献１には、販売用ケースの土台が記載されている。この販売用ケースの土台は、主に自動販売機や陳列ショーケースを水平状態に支持するために、計４つの土台本体３を、所要間隔を有して床面に配設し、高さ調整用螺棒（脚部材）１１の座板部分（螺子頭）１１ｂを前記土台本体３に形成した凹所状の座グリ４に遊嵌状に嵌め込むと共に、螺棒（脚部材）１１の螺子部９ａの座板部分（螺子頭）１１ｂ付近部位をやや長尺状の固定板８の固定用孔８ｂに通し、さらに、前記長尺状固定板８をボルト９で固定するものである。
【０００３】
しかしながら、特許文献１の販売用ケースの土台は、長尺状固定板８を固定するボルト９が緩むと、螺棒（脚部材）１１が地震等の振動により、座グリ４の凹所内で滑動するという問題点があった（符号は特許文献１のもの）。
【０００４】
特許文献２も販売用ケースを支持する支持台であるが、特許文献１と同様に土台本体１の上面に一端部に略鍵穴形状切欠部分を有する脚部材支持用長尺状固定板（設置金具）３を取付けボルト２を介して固定するものであるから、特許文献１と同じ問題点があった。
【先行技術文献】
【特許文献】
【０００５】
【特許文献１】実開昭５９−１５１９４８号公報
【特許文献２】登録実用新案第３０８８３０５号公報
【発明の概要】
【発明が解決しようとする課題】
【０００６】
本願発明の第１目的は、簡易な構成により、特許文献１、特許文献２の問題点を解消することである。付言すると、現場に於いて、簡単かつ短時間に支持台を配設することができ、しかも、設置ケースの脚部材が支持台の長尺状案内溝方向に滑動するのを確実に防止することである。本願発明の第２目的は、自動販売機等の設置ケースを、修理、交換、位置調整等をする際に、手でもって係止棒を適宜に持ち上げて支持台との係合関係を解き、支持台から係止棒を抜脱することである。
【課題を解決するための手段】
【０００７】
本発明の設置ケースの脚部材用支持台は、地面或いは床面に設置される長尺状土台と、この長尺状土台に固定手段を用いて一体的に固定された断面軽山形綱形状（Ｌ型形状）の左右一対の支持片がこの長尺状土台の左右の側壁から該長尺状土台の上面を略直角に超えて突出する左右の垂直支持壁及び該垂直支持壁の上端部から内側にそれぞれ屈曲する左右の水平支持壁をそれぞれ有すると共に、前記左右の水平支持壁の対向端面間に前後一対の脚部材の脚部分にそれぞれ螺合する調整ナットを案内する長尺状案内溝と、該長尺状案内溝に連通すると共に、前記左右一対の支持片の前開口又は後開口から前記調整ナットと共に嵌め込まれ、かつ、前記垂直支持壁の内壁面と水平支持壁の内壁面で形成された幅広空間部分に前記脚部材の座板部分が前記長尺状土台の上面に支持された状態で位置する設置ケースの脚部材用支持台であって、前記左右の垂直支持壁に左右一対の支持孔を形成し、これら左右一対の支持孔には、前記脚部材と当接して該脚部材が前記長尺状案内溝方向に滑動するのを防止する係止棒を貫通状態に横架し、前記左右一対の支持孔の内径と前記係止棒の外径との寸法差は、係止棒を支持孔に対して水平方向から嵌入及び支持孔から抜脱することができるように遊嵌合状態に設定されており、さらに、前記係止棒の両端部又は両端部寄りの部位のいずれかに前記左右一対の支持孔にそれぞれ係合する溝が形成されていることを特徴とする。
【０００８】
上記構成に於いて、係止棒の少なくとも一端部には、装着可能な係止棒用の抜脱防止部材が取付けられていること特徴とする。また係止棒の少なくとも一端部は先細り状に形成されていること特徴とする。
【発明の効果】
【０００９】
（ａ）請求項１に記載の発明は、現場に於いて、簡単かつ短時間に支持台を配設することができ、しかも、設置ケースの脚部材が支持台の長尺状案内溝方向に滑動するのを確実に防止することができる。また左右一対の支持孔の内径と前記係止棒の外径との寸法差は、係止棒を支持孔に嵌入及び支持孔から抜脱することができるように遊嵌合状態に設定されているので、自動販売機等の設置ケースを、修理、交換、位置調整等をする際に、手でもって係止棒を適宜に持ち上げて支持台との係合関係を解き、支持台から係止棒を抜脱することができる。さらに、係止棒の両端部又は両端部寄りの部位のいずれかに左右一対の支持孔にそれぞれ係合する溝が形成されているので、係止棒が支持孔から容易に外れない。
（ｂ）請求項２に記載の発明は、係止棒の少なくとも一端部に装着可能な係止棒用の抜脱防止部材が取付けられているので、前記（ｃ）と同じ効果を得ることができる。
（ｃ）請求項３に記載の発明は、係止棒９Ｄ、９Ｅの少なくとも一端部は先細り状に形成されているので、支持孔の内径との関係で、支持孔に嵌め込み易い。
【図面の簡単な説明】
【００１０】
図１乃至図９は本発明の第１実施形態を示す各説明図、図１０及び図１５は本発明の第２実施形態、第３実施形態等を示す各説明図である。
【図１】本発明を含む支持装置Ｘの概略説明図。
【図２】本発明の斜視図。
【図３】図２の３−３線に基づく概略断面説明図。
【図４】図２の４−４線に基づく概略断面説明図。
【図５】図４の矢印方向から見た説明図。
【図６】支持台と係合棒の（嵌入前・抜脱後）説明図。
【図７】支持台の正面図。
【図８】支持台の平面図。
【図９】支持台の左側面図（右側面図は左側面図と同一）。
【図１０】本発明を構成する係合棒の第２実施形態を示す説明図。
【図１１】第２実施形態の使用例を示す説明図。
【図１２】本発明を構成する係合棒の第３実施形態を示す説明図。
【図１３】本発明を構成する支持台及び係合棒の第４実施形態を示す説明図。
【図１４】本発明を構成する支持台及び係合棒の他例（第５実施形態）を示す説明図。
【図１５】（ａ）は第１実施形態の係止棒の異なる実施形態を示す斜視図、（ｂ）は第４実施形態の係止棒の異なる実施形態を示す斜視図。
【発明を実施するための最良の形態】
【００１１】
図１乃至図９は本発明の第１実施形態を示す各説明図である。まず図１に於いて、Ａは設置ケース、Ｂは設置ケースの底面に取外し可能に取付けられる脚部材、Ｘは設置ケース用の支持装置、Ｇは床面である。
【００１２】
設置ケースＡは、例えば自動販売機、陳列ケース、ロッカー、置物、簡易倉庫、券売機、各種の設置型棚などである。実施形態では、支持装置Ｘは自動販売機Ａを左右一対の支持台１、１Ａを計４つの脚部材Ｂを介して安定状態に支持している。
【００１３】
支持装置Ｘは、計４つの逆ボルト状（逆Ｔ状ボルト）の脚部材Ｂの座板部分を左右の支持台１、１Ａにそれぞれ差込んで自動販売機Ａの姿勢を水平状態に保つ。したがって、支持装置Ｘを構成する左右一対の支持台１、１Ａは、前記４つの逆ボルト状の脚部材Ｂの座板部分の位置を考慮して床面や平坦な地面Ｇに所要間隔を有して平行に配設される。左右一対の支持台１、１Ａは同一構成なので、ここでは図２で示すように、一方の支持台１の構成を説明し、他方の支持台１Ａの説明は援用する。
【００１４】
さて、逆ボルト状の脚部材Ｂは、図３、図４等で示すように、やや肉厚の円形の座板部分（螺子頭部）ａと、この座板部分ａの中央部から垂直に伸びる脚部分（螺子部）ｂと、この脚部分ｂに螺合する調整ナットｃとから成る。なお、前記調整ナットｃは、必ずしも脚部材Ｂの構成要素ではない。
【００１５】
また、図１、図２、図７等で示すように、支持台１を構成する土台２は、木材、コンクリート、硬い金属など適当な材質を用い、角柱（断面矩形状）かつ長尺状に作られる。実施形態では鉄などの金属で長尺状の角材に成形されている。前述したように、支持装置Ｘは、設置ケースを地面Ｇに水平かつ安定に設置するためのものであるから、図１で示すように、土台２の前後方向の長さＬは自動販売機Ａの奥行Ｌ１よりも長いことが好ましい。
【００１６】
また土台２の左右幅は、逆ボルト状の脚部材Ｂの座板部分ａの外径寸法を考慮して設定されている。付言すると、座板部分ａは、例えば図３で示すように土台２の上面２ａに支持された状態で、かつ断面軽山形綱形状（Ｌ型形状）の左右一対の支持片３、３で囲まれた幅広空間部分（領域）４内に位置付けられるので、土台２の左右幅は、座板部分ａの外径寸法よりも若干大きい。もちろん、土台２の左右幅を座板部分ａの外径寸法に対して微妙に設定することも考えられるが、そのような場合であっても、座板部分ａを左右一対の支持片３、３の前開口４ａ又は後開口４ｂから嵌め込むようにする必要がある。
【００１７】
また支持台１を構成する左右一対の支持片３、３は、レール状の鋼板材をＬ型形状に折り曲げ形成され長尺状の板部材であることから、例えば図４で示すように長い方の板部分を土台２の左右の側壁にそれぞれ溶着・固着等の固定手段を用いて一体的に固定した場合には、左右の垂直支持壁３ａ、３ａと、左右水平支持壁３ｂ、３ｂから成る。
【００１８】
したがって、支持台３は、地面或いは床面Ｇに設置される長尺状土台２と、この長尺状土台の左右の側壁２ｂ、２ｂから該長尺状土台２の上面２ａを略直角に超えて突出する左右の垂直支持壁３ａ、３ａ及び該垂直支持壁３ａ、３ａの上端部から内側にそれぞれ屈曲する左右の水平支持壁３ｂ、３ｂとから成る。そして、支持台３は、左右一対の支持片３、３で囲まれた幅広空間部分（領域）４と、この幅広空間部分（領域）４に連通する左右の水平支持壁３ｂ、３ｂの対向端面間の長尺状案内溝５とを有し、前記長尺状案内溝５は脚部材Ｂの脚部分ｂを案内する。
【００１９】
さらに、前記左右の垂直支持壁３ａ、３ａの両端部或いは両端部寄りの部位には、単数又は複数の支持孔７がそれぞれ形成されている。これら左右一対の支持孔７の位置は、脚部材Ｂの座板部分ａや脚部分ｂの定着位置を考慮して決められている。また左右一対の支持孔７の各孔径は、図６で示す係止棒９の外径を考慮して決められている。すなわち、実施形態では、左右一対の支持孔７の位置は、脚部材Ｂの座板部分ａの外周面に対して係止棒９の外周面が略接触する、いわば接線箇所であり、また左右一対の支持孔７の各内径と係止棒の外径との寸法差は、係止棒９を前記支持孔７に水平方向に嵌入及び支持孔７から抜脱することができるように遊嵌合状態に設定されている。
【００２０】
次に、図４乃至図６を参照にして係止棒９を説明する。図４や図５で示すように、係止棒９は、左右一対の支持孔７の一方から嵌め込まれ、脚部材Ｂの座板部分ａの外周面と当接するように横架される。実施形態では、係止棒９の長さは、左右の支持片３を含む支持台１の横幅Ｗよりも長いので、左右の支持片３を貫通した状態で支持台１に横架され、左右の両端部９ａ、９ａは左右の垂直支持壁３ａ、３ａからそれぞれ均等に突出する。好ましくは、係止棒９の両端部９ａ、９ａ寄りの部位に左右一対の周溝（オス係合部位）１０を形成し、これらの周溝１０左右一対の支持孔（メス係合部位）７に係合させると、係止棒９を支持孔７からそのまま抜き取ることができないので、振動等により、係止棒９の一端部９ａが支持孔７から外れることがない。
【００２１】
上記構成により、左右の支持片３の幅広空間部分（領域）４内に位置する係止棒９の中間部位９ｂの一部（中央部）は、図５で示すように脚部材Ｂの座板部分ａの外周面に当接することから、係止棒９は脚部材Ｂが長尺状案内溝５方向に滑動するのを防止する。また、係止棒９の両端部９ａ又は両端部寄りの部位のいずれかに左右一対の支持孔７にそれぞれ係合する溝１０が形成され、係止棒９をそのまま水平方向に引き抜くと、係止棒９は前記溝１０と支持孔７との縁部分の係合関係により、容易に抜脱することができない一方、支持孔７の内径と係止棒９の外径との寸法差は、係止棒９を支持孔７に嵌入及び支持孔７から抜脱することができるように遊嵌合状態に設定されているので、自動販売機Ａの交換、修理等の理由から自動販売機Ａを支持装置Ｘから外す事情が生じたい際には、手でもって係止棒９を適宜に持ち上げて係合関係を解き、容易に左右の垂直支持壁３ａ、３ａから取り外すことができる。
【実施例】
【００２２】
第１実施形態に於いて、係止棒９は脚部材Ｂの座板部分ａの外周面に当接することを説明したが、実施形態如何によっては、座板部分ａに調整ナットｃが位置し、或いは座板部分ａにナット部分が連設形成されている場合には、係止棒９の外周面を前記調整ナットｃ又はナット部分の外周面に当接するようにしても良い。したがって、左右の支持孔７の形成位置は、脚部材Ｂが滑動しない範囲内に設定することができる。
【００２３】
次に、図１０乃至図１４を参照にして、本発明の他の実施形態を説明する。なお、他の実施形態の説明に当って、第１実施形態と同一の部分には同一又は同様の符号を付して重複する説明を割愛する。
【００２４】
まず、図１０及び図１１は本発明を構成する係合棒９Ａの第２実施形態を示す。第１実施形態の係合棒９の両端部９ａ寄りの部位には周溝１０が形成されているが、第２実施形態の係合棒９Ａの少なくとも一端部には、装着可能な係止棒用の抜脱防止部材１１が取付けられている。抜脱防止部材１１は、一端開口の螺合筒で、この螺合筒１１の内部には、係合棒９Ａの一端部に形成されたオネジ１２と螺合するメネジ１３が形成されている。図１０の（ｂ）で示すように、螺合筒１１を係合棒９Ａのオネジ１２に螺着すると、第１実施形態の係合棒９と同様に周溝１０が出来上がる。
【００２５】
図１１で示すように、係合棒９Ａを支持台１に横設する際には、図面向う側の一方の支持孔からオネジ１２を差し込み、図面手前側の支持孔７に前記オネジ１２を貫通させ、次いで螺合筒１１を係合棒９Ａのオネジ１２に螺着する。このように構成しても、第２実施形態の係合棒９Ａも第１実施形態の係合棒９と同一の作用・機能を発揮する。
【００２６】
図１２は本発明を構成する係合棒９Ｂの第３実施形態を示す説明図である。本発明の第３実施形態の係合棒９Ｂも前記第２実施形態の係合棒９Ａと同様に装着可能な係止棒用の抜脱防止部材１１Ａが存在する。第２実施形態の係合棒９Ａは螺合筒１１であるのに対して、第３実施形態の抜脱防止部材１１ＡはＥリングである点が異なる。
【００２７】
したがって、係合棒９Ａの一端部にはＥリングが係合する不番の被係合部分が適宜に設けられ、図１２で示すように、防止部材１１Ａは係合棒９Ａの一端部に装着される。なお、第３実施形態の係合棒９Ｂの支持台１に対する取付け態様は、第２実施形態の係合棒９Ａと同様なので、詳細な説明は割愛する。
【００２８】
図１３は本発明を構成する支持台１（１Ａ）及び係合棒９Ｃの第４実施形態を示す説明図である。第１乃至第３の各係合棒９、９Ａ、９Ｂは、断面真円形状であるが、第４実施形態の係合棒９Ｃは、断面矩形状の角材であり、該角材状の係合棒９Ｃの両端部寄りの部位に、下向き凹所状の係合溝１０Ａ、１０Ａを一対形成している。
【００２９】
付言すると、第１乃至第３の各係合棒９、９Ａ、９Ｂの両端部の溝は、いわゆる周溝であるが、第４実施形態の係合棒９Ｃの溝は係合棒９Ｃの一側下面に切欠された凹所である。そこで、支持台１（１Ａ）の左右の支持孔７Ａ、７Ａも、前記係合棒９Ｃの形態に対応して矩形状に形成されている。このように構成しても、第１実施形態と同一の作用・効果がある。
【００３０】
図１４は本発明を構成する支持台１（１Ａ）の他例（第５実施形態）を示す説明図である。この第５実施形態の支持台１（１Ａ）が第１実施形態の支持台１（１Ａ）と異なる点は、左右一対の支持孔７Ｂは、いわゆる鍵穴形状である。支持孔７Ｂは、大径部分１５と、該大径部分の下部に連通する小径部分１６とから成り、前記大径部分１５が係合棒９の挿通孔に相当する一方、前記小径部分１６が係合棒９の周溝１０に係合する。
【００３１】
図１５（ａ）は第１実施形態の係止棒の異なる実施形態を示す斜視図、図１５（ｂ）は第４実施形態の係止棒の異なる実施形態を示す斜視図である。図１５（ａ）に於いて、係止棒９Ｄの一端部は、例えばすい台形状、円すい、球台など適宜な先細り状に形成されている。また図１５（ｂ）の係止棒９Ｅの一端部も、前記係止棒９Ｄの一端部と同様に多角形の先細り状に形成されている。このように係止棒９Ｄの一端部又は両端部を先細り状に形成すると、支持孔７、７Ａの内径に対して、より一層係止棒９Ｄ、９Ｅの挿入端部の外径が小さくなるので、容易に支持孔に嵌め込むことができる。なお、支持孔の内側をすり鉢の如く、外拡形状にしても良い。
【００３２】
以上のように、支持台１（１Ａ）の支持孔の形状、係合棒の形状、係合棒の端部の形状の他、係合棒に加味する抜脱防止部材は、発明の目的を逸脱しない範囲で任意に設計変更することができる事項である。
【産業上の利用可能性】
【００３３】
本発明は、自動販売機、陳列ケース、ロッカー用の支持装置に利用することができる。
【符号の説明】
【００３４】
Ｘ…支持装置、Ａ…設置ケース、Ｂ…脚部材、１、１Ａ…支持台、２…土台、３…左右の支持片、４…幅広空間部分、５…案内溝、７、７Ａ、７Ｂ…左右一対の支持孔、９、９Ａ、９Ｂ、９Ｃ、９Ｄ、９Ｅ…係止棒、１０、１０Ａ…溝、１１、１１Ａ…係止棒用抜脱防止部材。
【図１】
0005943894.tif 000002
【図２】
0005943894.tif 000003
【図３】
0005943894.tif 000004
【図４】
0005943894.tif 000005
【図５】
0005943894.tif 000006
【図６】
0005943894.tif 000007
【図７】
0005943894.tif 000008
【図８】
0005943894.tif 000009
【図９】
0005943894.tif 000010
【図１０】
0005943894.tif 000011
【図１１】
0005943894.tif 000012
【図１２】
0005943894.tif 000013
【図１３】
0005943894.tif 000014
【図１４】
0005943894.tif 000015
【図１５】
0005943894.tif 000016